(57)【要約】【課題】偏芯性能がベストな位置でレンズ装置を固定することができるとともに、ズームツマミやフォーカスツマミが鏡胴部の真上に配置されるようにしたレンズ装置を提案する。【解決手段】レンズ装置３０は、レンズ鏡胴３５と、レンズ鏡胴３５を光軸回りに回転自在に支持し調節後の位置で固定する押え板３８と、レンズ鏡胴３５に組み込まれたズーム回転筒４５とフォーカス回転筒４６に固定され、それぞれの回転筒を回転操作するズームツマミ２７とフォーカスツマミ２８と、ズーム回転筒４５とフォーカス回転筒４６の円周方向の複数個所にそれぞれ設けられ、レンズ鏡胴３５の固定位置に応じてズームツマミ２７とフォーカスツマミ２８がそれぞれレンズ鏡胴３５の真上に来るように前記複数個所から選択されて固定されるネジ孔６１，６２と、を備える。【選択図】図４
2010250200.tif 000002
【特許請求の範囲】
【請求項１】
複数のレンズを保持したレンズ鏡胴を、光軸回りに回転自在に支持するするとともに回転調節後の位置で固定する鏡胴固定手段と、
前記レンズ鏡胴に回転自在に組み込まれ、その回転により前記複数のレンズの少なくとも一部を光軸方向に移動させる回転筒と、
前記回転筒に固定され、前記回転筒を回転させる操作部材と、
前記回転筒の円周方向の複数個所に設けられ、前記鏡胴の固定位置に応じて前記複数個所から選択され、前記操作部材が固定される操作部材固定手段と、
を備えたことを特徴とするレンズ装置。
【請求項２】
前記鏡胴固定手段は、光軸回りの任意の調節位置で前記レンズ鏡胴を固定可能であることを特徴とする請求項１記載のレンズ装置。
【請求項３】
前記鏡胴固定手段は、前記レンズ鏡胴に設けられたフランジ部の複数個所を略等間隔で押圧して固定する複数個の押え板を備えることを特徴とする請求項１又は２記載のレンズ装置。
【請求項４】
前記鏡胴固定手段は、前記レンズ鏡胴に設けられたフランジ部の全周を覆って押圧するリング状押圧部を有する１枚の押圧板であることを特徴とする請求項１又は２記載のレンズ装置。
【請求項５】
前記鏡胴固定手段は、前記レンズ鏡胴に設けられたフランジ部を全周に亘って覆うとともに前記レンズの光軸を中心とする同心円の雌ネジを備え、前記雌ネジの締め付けによって前記フランジ部を押圧して前記レンズ鏡胴を固定する雌ネジ環であることを特徴とする請求項１又は２記載のレンズ装置。
【発明の詳細な説明】
【技術分野】
【０００１】
本発明は、プロジェクタのレンズ装置に関し、詳しくは、鏡胴の上部にズームやフォーカス用の操作部材が配置されるとともに、レンズ鏡胴をレンズの偏芯が最も少ない位置で固定できるようにしたレンズ装置に関する。
【背景技術】
【０００２】
近年、プロジェクタではズームレンズを搭載して投映画像サイズを変化させることができるようにしたものが多く、必然的にレンズ枚数が多くなる。また、複雑な形状であっても比較的容易且つ安価に製造でき、製品重量も軽くなることから樹脂成形によるプラスチック鏡胴が用いられることが多い。複数枚のレンズ及びプラスチック鏡胴などによって、レンズ群全体としての偏芯精度を確保することが難しくなり、スクリーン上に投映された画像の画質が劣化してしまう。前記複数枚のレンズは、それぞれが光軸を中心にして自由に回転した位置で鏡胴内に組込まれるので、１枚１枚のレンズが最も偏芯量の少ない位置（姿勢）で組込まれるとは限らず、総合的な偏芯量は増大される。そこで、鏡胴のレンズ受け面に凸部を設け、レンズのフランジ面に形成された凹部を嵌合させて、それぞれのレンズが決められた位置で鏡胴内に組込まれるようにしたレンズ装置が下記特許文献１に記載されている。
【先行技術文献】
【特許文献】
【０００３】
【特許文献１】特開２００７−１７８４９７号公報
【発明の概要】
【発明が解決しようとする課題】
【０００４】
しかしながら、前記特許文献１記載のレンズ装置は、レンズの歪みが少ない位置に位置決め部を形成したものであり、組み上がった状態でのレンズ鏡胴の偏芯を調整することはできない。レンズが組込まれた状態のレンズ鏡胴の偏芯調整は、レンズ鏡胴を光軸中心に回転させて最も良い結果が得られる位置で固定する構成が一般的であるが、図８に示すように、プロジェクタ１０に取り付けられるレンズ装置１１は、例えば、レンズ装置１１の取付フランジ１２が４本のネジ１３によって固定されていると、光軸中心に９０°ごとに回転させることしかできないため、４個所のうちで最も良いところで固定されることになり、レンズ装置１１のベスト位置で固定されるとは限らない。また、固定される位置によっては、ズームやフォーカスを調整する操作部材がレンズ装置１１の斜め方向や下方になってしまうことがあると、操作性に支障をきたしてしまう。
【０００５】
本発明は上記の問題を解決するためのものであり、レンズ装置をプロジェクタに組み付けた後に偏芯性能がベストな位置で固定できるようにするとともに、どのような位置に回されて固定されたとしても鏡胴部の真上にズームやフォーカス用の操作部材が配置できるようにしたレンズ装置を提案する。
【課題を解決するための手段】
【０００６】
本発明によるレンズ装置は、複数のレンズを保持したレンズ鏡胴を、光軸回りに回転自在に支持するするとともに回転調節後の位置で固定する鏡胴固定手段と、前記レンズ鏡胴に回転自在に組み込まれ、その回転により前記複数のレンズの少なくとも一部を光軸方向に移動させる回転筒と、前記回転筒に固定され、前記回転筒を回転させる操作部材と、前記回転筒の円周方向の複数個所に設けられ、前記鏡胴の固定位置に応じて前記複数個所から選択され、前記操作部材が固定される操作部材固定手段と、を備えたことを特徴とする。
【０００７】
前記鏡胴固定手段は、光軸回りの任意の調節位置で前記レンズ鏡胴を固定可能にすると良い前記鏡胴固定手段は、前記レンズ鏡胴に設けられたフランジ部の複数個所を略等間隔で押圧して固定する複数個の押え板であっても良く、前記レンズ鏡胴に設けられたフランジ部の全周を覆って押圧するリング状押圧部を有する１枚の押圧板であっても良い。あるいは、前記レンズ鏡胴に設けられたフランジ部を全周に亘って覆うとともに前記レンズの光軸を中心とする同心円の雌ネジを備え、前記雌ネジの締め付けによって前記フランジ部を押圧して前記レンズ鏡胴を固定する雌ネジ環であっても良い。
【発明の効果】
【０００８】
本発明によれば、複数のレンズが組込まれたレンズ装置をプロジェクタに取り付ける際に、投映された画像が最も良くなる状態で固定することができるとともに、レンズ装置を固定した後にズームやフォーカスを調整する操作部材を鏡胴部の真上に配置することができるので操作性が良好である。
【図面の簡単な説明】
【０００９】
【図１】本発明によるレンズ装置が取り付けられたプロジェクタの斜視外観図である。
【図２】レンズ装置の断面図である。
【図３】レンズ鏡胴の斜視外観図である。
【図４】レンズ装置の分解斜視図である。
【図５】鏡胴固定手段として押え環を用いたときの説明図である。
【図６】鏡胴固定手段として雌ネジ環を用いたときの説明図である。
【図７】鏡胴固定手段として長孔とネジを用いたときの説明図である。
【図８】従来のレンズ装置が取り付けられたプロジェクタの斜視外観図である。
【発明を実施するための形態】
【００１０】
図１に示すように、プロジェクタ２０は、略直方体をした筐体２１に、光源２３、照明光学系２４、全反射プリズム２５、デジタルマイクロミラーデバイス（以下、ＤＭＤという。）２６が収容されたケース２２と、ケース２２に取り付けられたレンズ装置３０とを備える。ケース２２は収容された各光学装置やレンズ装置３０の光学精度が確保されるように、強度的に十分な板厚を有するとともに強固に筐体２１に固定されている。なお、レンズ装置３０はケース２２ではなく別の強固な取り付け部材に固定するようにしても良い。
【００１１】
レンズ装置３０にはズームツマミ（操作部材）２７とフォーカスツマミ（操作部材）２８が取り付けられ、筐体２１に形成された開口３１から操作可能に露呈される。ズームツマミ２７とフォーカスツマミ２８によって、投映された画像の拡大縮小及び画像のピント調節が行われる。図示しない電源スイッチが操作されると光源２３から光が放射される。放射された光はカラーフィルタやインテグレータなどから構成された照明光学系２４を透過して全反射プリズム２５に入射し、ＤＭＤ２６に表示された画像がレンズ装置３０によってスクリーン等に投映される。なお、光源２３には、超高圧水銀ランプ、メタルハライドランプ、キセノンランプ等の高輝度放電ランプを用いるのが一般的であるが、これらの構成については周知技術であるから詳細説明を省略する。
【００１２】
図２及び図３に示すように、本発明によるレンズ装置３０は、複数のレンズ４１，４２を保持したレンズ鏡胴３５と、ケース２２に固定されたマウント板３４と、マウント板３４にネジ３９に固定された押え板（鏡胴固定手段）３８とを備え、押え板３８は、レンズ鏡胴３５を光軸４０回りに回転自在に支持し、調整後の位置で固定する。レンズ鏡胴３５は、フランジ部３７を有する固定筒３６と、固定筒３６に回転自在に組み込まれ、その回転によりレンズ４１，４２を光軸方向に移動させるズーム回転筒４５とフォーカス回転筒４６とを備える。ズーム回転筒４５，フォーカス回転筒４６には複数のネジ孔（操作部材固定手段）６１，６２がそれぞれ形成され、ズームツマミ２７、フォーカスツマミ２８が固定される。固定筒３６は複数の変倍レンズ群４１とフォーカスレンズ群４２を光軸４０方向に移動自在に支持する複数の直進溝４４を有し、外側にズーム回転筒４５とフォーカス回転筒４６が回転自在に装着される。ズーム回転筒４５とフォーカス回転筒４６は、複数の変倍レンズ群４１を光軸４０の方向に移動させる複数のズームカム溝４７と、フォーカスレンズ群４２を光軸４０の方向に移動させる複数のフォーカスカム溝４８とをそれぞれ備える。なお、フォーカスレンズ群４２の移動にフォーカスカム溝４８を用いず、フォーカスレンズ枠４９にヘリコイドギヤを形成する方法を用いても良い。
【００１３】
次に、レンズ装置３０の組立手順及び作用・効果について説明する。図４に示すように、マウント板３４に形成されたレンズ装着孔５２にレンズ鏡胴３５の入射側端部５３を挿入させる。押え板３８に形成された孔５４に挿通させたネジ３９をマウント板３４に形成されたネジ孔５５に螺合させて、４つの押え板３８によってフランジ部３７を支持する。ここで、ネジ３９はレンズ鏡胴３５が回転できる程度に押え板３８がフランジ部３７を押圧するように止められる。電源スイッチがオンされ画像光がレンズ鏡胴３５から射出されて、画像がスクリーンに投映される。投映された画像の状態を見ながらレンズ鏡胴３５を回転させ、もっとも良好な位置でネジ３９を締め付ける。ネジ３９によって押え板３８がレンズ鏡胴３５を固定する。
【００１４】
レンズ鏡胴３５が固定された後、ズームツマミ２７，フォーカスツマミ２８がズーム回転筒４５，フォーカス回転筒４６のそれぞれ略真上になるように載せ、ズームツマミ２７及びフォーカスツマミ２８に形成された長溝５７及び５８にネジ６０を挿通させる。長溝５７及び５８には、レンズ鏡胴３５の調整後の位置に応じて前記複数の中から選択されたネジ孔６１及び６２がそれぞれ少なくとも１つ以上露呈するので、ネジ６０をそれぞれ螺合させ、ズームツマミ２７とフォーカスツマミ２８をズーム回転筒４５及びフォーカス回転筒４６にそれぞれ固定する。これによって、複数のレンズが用いられることによるレンズの偏芯の投映画像への影響が最も少なくなるとともに、ズーミングやフォーカシングにための操作ツマミの位置がレンズ装置３０の真上にあるので操作性が良い。
【００１５】
図５に示すようにレンズ鏡胴３５を固定する鏡胴固定手段として、押え板３８に代えて押圧板６５を用いても良い。押圧板６５は、フランジ部３７を全周に亘って覆う。押圧板６５に形成された取付孔６６に挿通されたネジ６７が、マウント板３４に形成されたネジ孔５５に螺合する。ネジ６７は、レンズ鏡胴３５が回転できる程度に押圧板６５がフランジ部３７を押圧するように止められ、レンズ鏡胴３５の位置が調整された後に強く締め付けられて、レンズ鏡胴３５が固定される。なお、孔５４及び取付孔６６は切り欠き孔であっても良い。
【００１６】
図６に示すようにレンズ鏡胴３５を固定する鏡胴固定手段として、雌ネジ環７０を用いても良い。雌ネジ環７０は、光軸４０を中心とする同心円状にネジ山を有する雌ネジ７１が形成されるとともに、フランジ部３７を全周に亘って覆う。マウント板６８に形成されたレンズ装着孔５２の周囲には雄ネジ７２が設けられ、雌ネジ７１が雄ネジ７２と螺合して雌ネジ環７０がレンズ鏡胴３５を回転できる程度に押圧して仮止めされ、レンズ鏡胴３５の位置が調整された後に強く締め付けられて、レンズ鏡胴３５が固定される。
【００１７】
図７に示すように、レンズ鏡胴３５のフランジ部３７に長孔８０を４個所に形成し、ネジ８１によってレンズ鏡胴３５をマウント板８５に固定するようにしても良い。ネジ８１は長孔８０に挿通された後にマウント板８５に形成されたネジ孔８２に螺合される。長孔８０は、挿通されたネジ８１によって回転が規制されるが、４５°以上回転する長さに形成され、マウント板８５にはネジ孔８２が４５°間隔で８個が形成されているので、長孔８０には少なくとも１つのネジ孔８２が露呈することになり、レンズ鏡胴３５は３６０°回転させて位置決めを行うことができる。なお、長孔８０の長さはネジ孔８２が長孔８０の両端に露呈する長さ以上であれば良く、ネジ孔８２の数が長孔８０より多く設けられていれば良い。レンズ鏡胴３５を３６０°回転させたいかなる位置においても全ての長孔８０に少なくとも１本のネジ８１が螺合可能となる。従って、長孔８０及びネジ孔８２の数は４個及び８個に限るものではなく、例えば、長孔８０及びネジ孔８２の数がそれぞれ３個、４個の場合は、長孔８０の長さを９０°回転可能な長さにすれば良い。長孔８０及びネジ孔８２の数がそれぞれ４個、５個の場合は、長孔８０の長さを７２°回転可能な長さにすれば良い。
【符号の説明】
【００１８】
２０  プロジェクタ
２２  ケース
２７  ズームツマミ（操作部材）
２８  フォーカスツマミ（操作部材）
３０  レンズ装置
３１  開口
３４，６８，８５  マウント板
３５  レンズ鏡胴
３６  固定筒
３７  フランジ部
３８  押え板（鏡胴固定手段）
４０  光軸
４１  変倍レンズ群（複数のレンズ）
４２  フォーカスレンズ群（複数のレンズ）
４４  直進溝
４５  ズーム回転筒
４６  フォーカス回転筒
４７  ズームカム溝
４８  フォーカスカム溝
４９  フォーカスレンズ枠
５２  レンズ装着孔
５３  入射側端部
５４  孔
５５，８２  ネジ孔
５７，５８  長溝
６０，８１  ネジ
６１，６２  ネジ孔（操作部材固定手段）
６５  押圧板（鏡胴固定手段）
６６  取付孔
６７  ネジ
７０  雌ネジ環（鏡胴固定手段）
７１  雌ネジ
７２  雄ネジ
８０  長孔（鏡胴固定手段）
【図１】
2010250200.tif 000003
【図２】
2010250200.tif 000004
【図３】
2010250200.tif 000005
【図４】
2010250200.tif 000006
【図５】
2010250200.tif 000007
【図６】
2010250200.tif 000008
【図７】
2010250200.tif 000009
【図８】
2010250200.tif 000010